(57)【要約】【課題】スラスト玉軸受のボールと保持器との摺接位置の接触面圧を小さくして、保持器の摩耗を抑えることである。【解決手段】保持器４のポケット孔５に嵌め込まれたボール３を抱え込む内側部６および外側部７の絞り込みを深くすることにより、各ボール３が外輪１および内輪２の転走面上を転動するときに、各ボール３と保持器４とが、保持器４のポケット孔５の周縁部、内側部６および外側部７の３箇所で摺接するようにして、各摺接位置の接触面圧を従来よりも小さくし、保持器４の摩耗を抑えられるようにしたのである。【選択図】  図１
2004353775.tif 000002
【特許請求の範囲】
【請求項１】
外輪と、内輪と、これらの両軌道輪の間に組み込まれる複数のボールと、各ボールを転動自在に保持する保持器とから成り、前記保持器は、金属板をプレス加工して環状に形成したもので、前記各ボールを嵌め込むポケット孔が周方向に所定の間隔で設けられるとともに、各ポケット孔に嵌め込まれたボールを抱え込む環状の内側部および外側部が折曲成形されており、この保持器の両側部を隣り合うポケット孔の間で側部どうしの間隔が狭くなるように絞り込んで、前記各ボールの脱落を防止したスラスト玉軸受において、前記保持器の両側部の絞り込みを深くして、前記各ボールが前記両軌道輪の転走面上を転動するときに、前記各ボールと保持器とが、前記保持器のポケット孔の周縁部、内側部および外側部の３箇所で摺接するようにしたことを特徴とするスラスト玉軸受。
【請求項２】
前記各ボールと保持器との３箇所の摺接位置が、前記各ボールの公転方向と略直交する平面上に位置していることを特徴とする請求項１に記載のスラスト玉軸受。
【請求項３】
前記各ボールの中心から前記保持器との３箇所の摺接位置までの距離が略同一であることを特徴とする請求項２に記載のスラスト玉軸受。
【発明の詳細な説明】
【０００１】
【発明の属する技術分野】
この発明は、金属板をプレス加工して形成した保持器を組み込んだスラスト玉軸受に関する。
【０００２】
【従来の技術】
一般的なスラスト玉軸受では、２枚の軌道輪の間に組み込まれる複数のボールは、環状に形成された保持器により転動自在に保持されている（例えば、非特許文献１参照。）。
【０００３】
【非特許文献１】
Ｊ．ブレンドライン，他３名編著、吉武立雄訳、「ころがり軸受実用ハンドブック」、株式会社工業調査会、１９９６年、ｐ．３２−３３
【０００４】
図３は、このようなスラスト玉軸受の一例を示す。この軸受は、外輪５１と、内輪５２と、これらの両軌道輪５１、５２の間に組み込まれる複数のボール５３と、各ボール５３を転動自在に保持する保持器５４とから成る。保持器５４は、金属板をプレス加工して環状に形成したもので、各ボール５３を嵌め込むポケット孔５５が周方向に所定の間隔で設けられるとともに、各ポケット孔５５に嵌め込まれたボール５３を抱え込む環状の内側部５６および外側部５７が折曲成形されている。そして、この保持器５４の両側部５６、５７が、隣り合うポケット孔５５、５５の間で側部どうしの間隔が狭くなるように絞り込まれ、各ボール５３が脱落しないようになっている。
【０００５】
このスラスト玉軸受では、図４および図５に示すように、内輪５２の回転に伴ってボール５３が保持器５４を押し進めながら公転するとき、各ボール５３と保持器５４とは、ポケット孔５５周縁のコーナ部の１箇所のみで摺接している。
【０００６】
このため、各ボール５３と保持器５４との摺接位置では、接触面圧が大きくなってボール５３表面に付着している潤滑油が少なからず掻き取られてしまい、保持器５４の摩耗が進行しやすい。また、ボール５３の方も、疵がついたり、早く摩耗したりすることがある。そして、保持器５４やボール５３の摩耗量が多くなると、軌道輪５１、５２の転走面とボール５３との間に巻き込まれた摩耗粉が、軌道輪５１、５２やボール５３の早期破損を引き起こすようになる。
【０００７】
特に、ＨＳＴ（ハイドロスタティックトランスミッション）に組み込まれる軸受のように、偏荷重が加わる条件で使用される場合には、各ボールの公転速度にむらが生じて、一部のボールと保持器との摺接位置の接触面圧がさらに大きくなりやすいため、上記のような問題が生じる可能性が高い。
【０００８】
【発明が解決しようとする課題】
そこで、この発明の課題は、スラスト玉軸受のボールと保持器との摺接位置の接触面圧を小さくして、保持器の摩耗を抑えることである。
【０００９】
【課題を解決するための手段】
上記の課題を解決するため、この発明は、ボール公転時に、各ボールと保持器とが３箇所で摺接するようにしたのである。これにより、ボールと保持器との摺接位置での接触面圧を従来よりも小さくして、ボール表面の潤滑油が摺接位置で掻き取られる量を少なくし、保持器の摩耗を抑えることができる。
【００１０】
具体的には、外輪と、内輪と、これらの両軌道輪の間に組み込まれる複数のボールと、各ボールを転動自在に保持する保持器とから成り、前記保持器は、金属板をプレス加工して環状に形成したもので、前記各ボールを嵌め込むポケット孔が周方向に所定の間隔で設けられるとともに、各ポケット孔に嵌め込まれたボールを抱え込む環状の内側部および外側部が折曲成形されており、この保持器の両側部を隣り合うポケット孔の間で側部どうしの間隔が狭くなるように絞り込んで、前記各ボールの脱落を防止したスラスト玉軸受において、前記保持器の両側部の絞り込みを深くして、前記各ボールが前記両軌道輪の転走面上を転動するときに、前記各ボールと保持器とが、前記保持器のポケット孔の周縁部、内側部および外側部の３箇所で摺接するようにしたのである。
【００１１】
上記の構成において、前記各ボールと保持器との３箇所の摺接位置は、前記各ボールの公転方向と略直交する平面上に位置させることが好ましく、さらに、前記各ボールの中心から３箇所の摺接位置までの距離は略同一とすることが好ましい。ボールが保持器を押し進める力が各摺接位置に偏りなく加わって、各摺接位置での接触面圧が確実に従来よりも大きく減少し、保持器の摩耗の進行がより遅くなるからである。
【００１２】
【発明の実施の形態】
以下、図１および図２に基づき、この発明の実施形態を説明する。このスラスト玉軸受は、図１に示すように、外輪１と、内輪２と、これらの両軌道輪１、２の間に組み込まれる複数のボール３と、各ボール３を転動自在に保持する保持器４とで構成されている。
【００１３】
前記保持器４は、金属板をプレス加工して環状に形成したもので、各ボール３を嵌め込むポケット孔５が周方向に所定の間隔で設けられるとともに、各ポケット孔５に嵌め込まれたボール３を抱え込む環状の内側部６および外側部７が折曲成形されている。これらの両側部６、７は、隣り合うポケット孔５、５の間で側部どうしの間隔が狭くなるように絞り込まれ、各ポケット孔５に嵌め込まれたボール３の脱落を防止している。また、図２に示すように、両側部６、７の絞り込み部６ａ、７ａは、それぞれ図３乃至図５に示した従来の軸受よりも深く形成され、内輪２の回転に伴って保持器４を押し進めながら公転する（両軌道輪１、２の転走面上を転動する）各ボール３と摺接するようになっている。
【００１４】
従って、ボール３公転時には、各ボール３と保持器４とは、保持器４のポケット孔５の周縁部、内側部６および外側部７の３箇所で摺接することになる。ここで、各ボール３と保持器４との３箇所の摺接位置は、各ボール３の公転方向と略直交する平面上に位置し、各ボール３の中心からの距離が略同一となるように設計されている。また、保持器４の両側部６、７の絞り込み部６ａ、７ａは、ボール３との接触面積をより大きくするために、凹形曲面でボール３と摺接するように形成されている。
【００１５】
このスラスト玉軸受は、上記の構成であり、各ボール３が保持器４を押し進める力が、保持器４との３箇所の摺接位置に偏りなく加わるので、前述した従来の軸受に比べて、各摺接位置での接触面圧がかなり小さく、各摺接位置でボール３表面の潤滑油が掻き取られる量が少ない。このため、保持器４の摩耗は、発生する部位は増えるが、各部位での進行は遅く、保持器４全体の摩耗量としては従来よりも大幅に減少する。また、ボール３も、疵がついたり早く摩耗したりすることがない。
【００１６】
【発明の効果】
以上のように、この発明は、スラスト玉軸受の保持器の両側部の絞り込みを深くして、各ボールが外輪および内輪の転走面上を転動するときに、各ボールと保持器とが保持器のポケット孔の周縁部、内側部および外側部の３箇所で摺接するようにしたので、各摺接位置の接触面圧を従来よりも小さくすることができる。従って、保持器全体の摩耗量を抑えて、軌道輪やボールの早期破損を防止することができ、軸受寿命の延長が図れる。
【図面の簡単な説明】
【図１】実施形態のスラスト玉軸受の要部の正面断面図
【図２】図１のＩＩ−ＩＩ線に沿った断面図
【図３】従来のスラスト玉軸受の要部の正面断面図
【図４】図３のＩＶ−ＩＶ線に沿った断面図
【図５】図３のＶ  −Ｖ  線に沿った断面図
【符号の説明】
１  外輪
２  内輪
３  ボール
４  保持器
５  ポケット孔
６  内側部
６ａ  絞り込み部
７  外側部
７ａ  絞り込み部
【図１】
2004353775.tif 000003
【図２】
2004353775.tif 000004
【図３】
2004353775.tif 000005
【図４】
2004353775.tif 000006
【図５】
2004353775.tif 000007